(57)【要約】      （修正有）【課題】Ｈ形鋼等から成る柱部材に対してブラケット部材を固着するための取付金具並びに該取付金具を使用することにより構築されるツル科植物育成用装置を提供する。【解決手段】コア部の左右両側に翼部7を形成した断面Ｔ形部を有する柱部材に対してブラケット部材1を固着する取付金具において、左右両側の翼部にそれぞれ取付けられる一対の抱持具19と、該抱持具に固着されるブラケット部材20と、押圧固着手段21と、クランプ固着手段22とから構成されており、前記抱持具のそれぞれは、翼部を抱持するように断面溝形に形成された溝形部の背壁を翼部の背面に当接し重合されると共に前壁を翼部の正面に隙間を介して重合され、前壁から翼部の正面側に突出する挟持壁を延設した構成とされ、一対の抱持具の挟持壁を相互に離間して配置せしめられている。【選択図】  図２
2005040027.tif 000002
【特許請求の範囲】
【請求項１】
コア部（３）の左右両側に翼部（７、７）を形成した断面Ｔ形部（８）を有する柱部材１に対してブラケット部材（２０）を固着する取付金具において、
左右両側の翼部にそれぞれ取付けられる一対の抱持具（１９、１９）と、該抱持具に固着されるブラケット部材（２０）と、押圧固着手段（２１）と、クランプ固着手段（２２）とから構成されており、前記抱持具（１９、１９）のそれぞれは、翼部（７、７）を抱持するように断面溝形に形成された溝形部（２３）の背壁（２４）を翼部（７）の背面に当接し重合されると共に前壁（２５）を翼部（７）の正面に隙間（Ｇ）を介して重合され、前壁から翼部の正面側に突出する挟持壁（２６）を延設した構成とされ、一対の抱持具（１９、１９）の挟持壁（２６、２６）を相互に離間（Ｓ）して配置せしめられており、前記ブラケット部材（２０）は、抱持具の挟持壁（２６）に取付固着される被着部（３２）と、該被着部から延設された取付座部（３３）を備えた構成とされており、前記押圧固着手段（２１）は、一対の抱持具の前壁（２５）を貫通して螺入され、先端を翼部（７）の正面に押圧せしめられる押しボルト（２７）により構成され、前記クランプ固着手段（２２）は、離間して配置せしめられた一対の挟持壁（２６、２６）を挟着するボルト及びナットにより構成され、一対の挟持壁（２６、２６）を挟着することにより前記押しボルト（２７）の先端を翼部（７）の正面に圧接せしめるように構成されて成ることを特徴とする柱部材の取付金具。
【請求項２】
ブラケット部材の被着部（３２）は、離間する一対の挟持壁（２６、２６）の間に介挿され、クランプ固着手段（２２）により挟着された一対の挟持壁により挟持されるように構成されて成ることを特徴とする請求項１に記載の柱部材の取付金具。
【請求項３】
ブラケット部材の被着部（３２）は、少なくとも一方の挟持壁（２６）から延設された舌片部（３６）に対して着脱自在に固着されるように構成されて成ることを特徴とする請求項１に記載の柱部材の取付金具。
【請求項４】
請求項１に記載の取付金具（９）を柱部材（１）の長手方向に間隔をあけて取付けるこにより、多数のブラケット部材（２０）を介して多数のパネル（１０）を柱部材（１）に沿わせて上下方向に列設することにより育成用壁面（１１）を形成し、該壁面に沿わせてツル科植物を成長せしめるように構成されて成ることを特徴とするツル科植物育成用装置。
【発明の詳細な説明】
【技術分野】
【０００１】
本発明は、Ｈ形鋼等から成る柱部材に対してブラケット部材を固着するための取付金具並びに該取付金具を使用することにより構築されるツル科植物育成用装置に関する。
【背景技術】
【０００２】
近年、ヒートアイランド現象等の対策から、野外、屋外における種々の場所での緑化が推奨されている。このような要望に応えるため、本発明者においては、多種多様の植樹安定装置を提供し、建造物の地上及び屋上における樹木の植樹による緑化事業のために貢献している。
【０００３】
ところで、昨今、緑化の要望は、樹木を植樹することが困難な場所、例えば、建造物の外壁、特に、立体駐車場その他の駐車場の外壁空間等にも及んでいる。そこで、このような場合、所定の壁面に沿わせてツル科植物を繁殖させることにより、緑化の目的を達することができ、しかも、これが外部空間のオブジェとしての役割を果たすことができる。
【発明の開示】
【０００４】
この点に関して、例えばヨーロッパの古い屋敷等で見られるように、家屋等の建造物の外壁面に沿わせてツル科植物を成長させることが知られている。然しながら、ツル科植物は、ツタの巻きヒゲを外壁に係止させながら成長するものであるから、係止困難な外壁面に直接沿わせながら成長させるときは、育成から繁殖に至るまで長期間を要するのが通例であり、しかも、外壁面が中断する個所では育成できないから、上述のような緑化事業のためには適さない。
【０００５】
これに対して、例えば、立体駐車場その他の駐車場の外壁は、Ｈ形鋼から成る柱部材を所定間隔をあけて立設し、該Ｈ形鋼の左右溝部を利用して外壁パネルを嵌め入れた構成とされている。従って、該柱部材に沿わせてツル科植物育成用のパネルを上下方向に列設することにより育成用壁面を形成し、該壁面に沿わせてツル科植物を成長させることが好ましい。
【発明が解決しようとする課題】
【０００６】
そこで、Ｈ形鋼から成る柱部材の長手方向に間隔をあけて多数のブラケット部材を固着し、該ブラケット部材を介して多数のツル科植物育成用パネルを列設できるようにすることが望まれるが、柱部材にボルト孔等を穿設することは該柱部材の強度低下を招くので好ましくない。
【０００７】
このため、柱部材に孔をあけずにブラケット部材を固着するための取付金具を開発することが必要になるが、不慮の落下等による危険を防止できるように強固な取付を可能とする金具が存在していない。
【課題を解決するための手段】
【０００８】
本発明は、上述の課題を解決した柱部材の取付金具並びに該金具を含むツル科植物育成用装置を提供するものである。
【０００９】
そこで、本発明の取付金具が手段として構成したところは、コア部の左右両側に翼部を形成した断面Ｔ形部を有する柱部材に対してブラケット部材を固着する取付金具において、左右両側の翼部にそれぞれ取付けられる一対の抱持具と、該抱持具に固着されるブラケット部材と、押圧固着手段と、クランプ固着手段とから構成されており、前記抱持具のそれぞれは、翼部を抱持するように断面溝形に形成された溝形部の背壁を翼部の背面に当接し重合されると共に前壁を翼部の正面に隙間を介して重合され、前壁から翼部の正面側に突出する挟持壁を延設した構成とされ、一対の抱持具の挟持壁を相互に離間して配置せしめられており、前記ブラケット部材は、抱持具の挟持壁に取付固着される被着部と、該被着部から延設された取付座部を備えた構成とされており、前記押圧固着手段は、一対の抱持具の前壁を貫通して螺入され、先端を翼部の正面に押圧せしめられる押しボルトにより構成され、前記クランプ固着手段は、離間して配置せしめられた一対の挟持壁を挟着するボルト及びナットにより構成され、一対の挟持壁を挟着することにより前記押しボルトの先端を翼部の正面に圧接せしめるように構成されて成る点にある。
【００１０】
本発明の実施形態によれば、ブラケット部材の被着部は、離間する一対の挟持壁の間に介挿され、クランプ固着手段により挟着された一対の挟持壁により挟持されるように構成されている。また、本発明の別の実施形態によれば、ブラケット部材の被着部は、少なくとも一方の挟持壁から延設された舌片部に対して着脱自在に固着されるように構成されている。
【００１１】
そして、本発明のツル科植物育成用装置が手段として構成したところは、前記取付金具を柱部材の長手方向に間隔をあけて取付けるこにより、多数のブラケット部材を介して多数のパネルを柱部に沿わせて上下方向に列設することにより育成用壁面を形成し、該壁面に沿わせてツル科植物を成長せしめるように構成されて成る点にある。
【００１２】
【発明の効果】
本発明によれば、立体駐車場等の構築物におけるＨ形鋼等から成る柱部材は、コア部の左右両側に翼部を形成した断面Ｔ形部を有するので、一対の抱持具をそれぞれの翼部に容易に取付けることができる。即ち、抱持具は、翼部を抱持するように断面溝形に形成された溝形部を形成しているので、該溝形部の背壁を翼部の背面に当接し重合させ、前壁を翼部の正面に隙間を介して重合した状態で、前壁を貫通して押圧固着手段を構成する押しボルトを螺入し、該押しボルトの先端により翼部の正面を押圧することにより、柱部材の翼部に対して任意の位置に好適に取付けることができる。従って、高所において抱持具を柱部材に取付けるような場合でも、取付作業を容易に行うことができる。
【００１３】
ところで、このようにして柱部材に取付けた抱持具は、翼部の正面側に突出する挟持壁を延設し、一対の抱持具の挟持壁を相互に離間して配置しているので、クランプ固着手段を構成するボルト及びナットにより一対の挟持壁を挟着することにより、取付強度を大幅に向上させることができる。即ち、一対の抱持具は、押圧固着手段を翼部の正面に押圧せしめることにより固定されているが、前壁よりも正面側に突出した位置でクランプ固着手段により挟持壁を挟着したとき、前壁が翼部に向かう方向の強いモーメントを生じ、その結果、押圧固着手段による翼部の押圧力を極度に高めることができる。このため、一対の抱持具は、柱部材に対して極めて強固に取付けられ、落下事故を起こす虞れはない。
【００１４】
そして、強固に取付けられた一対の抱持具を利用することによりブラケット部材を固着し、該ブラケット部材を介してツル科植物育成用パネルを取付けることができるので、強度に優れた育成用壁面を簡単容易に構築することができる。
【００１５】
尚、本発明の取付金具は、ツル科植物育成用装置を構築するという用途の他、種々の物品又は部材を柱部材に対して強固に取付けるための取付金具として広範囲に利用できるという利点がある。
【発明を実施するための最良の形態】
【００１６】
以下図面に基づいて本発明の好ましい実施形態を詳述する。
【００１７】
（パネルと育成用壁面の実施形態）
図１は、パネルの１例と、該パネルを列設せしめることにより形成された育成用壁面の１例を示している。
【００１８】
例えば、立体駐車場、その建造物又は構築物は、Ｈ形鋼から成る柱部材１を所定間隔をあけて立設し、該Ｈ形鋼の左右溝部を利用して外壁パネル２を嵌め入れた構成とされている。即ち、図４に示すように、Ｈ形鋼から成る柱部材１は、コア部３の両側に溝部４、４を形成しており、外壁パネル２を該溝部４に遊動自在に嵌め入れた後、Ｈ形鋼の背壁６セットボルト５を螺入することにより、溝部４の内部で固定される。尚、柱部材１は、コア部３の正面側端部の左右両側に翼部７、７を形成した断面Ｔ形部８を構成している。
【００１９】
そこで、本発明の取付金具９を柱部材１の上下方向に間隔をあけて取付けた後、取付金具９を介して、図１に示すように多数のツル科植物育成用パネル１０を柱部材１に沿わせて列設することにより、育成用壁面１１を形成し、該壁面に沿わせてツル科植物Ｐを成長させることができる。
【００２０】
図２に示すように、パネル１０は、多数の透孔１２を有するシート状体１３を構成し、該シート状体１３を枠フレーム１４に固着している。図例の場合、シート状体１３は、金属製の細い線材を縦横に配置し、交差部分をスポット溶接することにより格子状に形成することができる。或いは、金属薄板をプレス等により打抜くことにより、多数の透孔１２を有するように成形しても良く、更には、このような形状のシート状体１３を合成樹脂により成形しても良く、その材質や製造方法は問わない。このようなパネル１０は、例えば、横１ｍ（１０００ｍｍ）×縦１ｍ（１０００ｍｍ）程度の大きさに形成されるが、その大きさを問うものではない。
【００２１】
パネル１０は、枠フレーム１４のほぼ中央部に帯板等から成る取付手段１５を設けており、該取付手段１５の上下に間隔をあけてそれぞれ取付孔を有する一対の取付部１５ａ、１５ａを設けている。また、枠フレーム１４の四隅には座片１６が形成されており、該座片１６にアジャスタ１７を設けている。アジャスタ１７は、先端に当接片１８を備えたボルトから成り、座片１６にナット等を介して進退自在に固定される。従って、後述するように、取付金具９に対して取付手段１５を介してパネル１０を取付けた状態で、四隅のアジャスタ１７を進退方向に調節し、当接片１８を外壁パネル２の表面に当接せしめることにより、パネル１０をガタツキのないように好適に固定することができる。
【００２２】
図示実施形態において、１枚のパネル１０に関して、取付手段１５の上下に位置する一対の取付部１５ａ、１５ａを取付けるために、２つの取付金具９、９が使用される。このような取付金具９、９は、柱部材１に固着する前の分解状態を図２に示し、柱部材１に固着した状態を図３に示している。
【００２３】
図２に示すように、取付金具９は、柱部材１の左右両側の翼部７、７に取付けられる一対の抱持具１９、１９と、該抱持具１９、１９に固着されるブラケット部材２０と、押圧固着手段２１と、クランプ固着手段２２とから構成されている。
【００２４】
図４（Ａ）に示すように、それぞれの抱持具１９は、金属板を折曲することにより、翼部７を抱持するように断面溝形に形成された溝形部２３を備え、該溝形部２３の背壁２４を翼部７の背面に当接し重合されると共に、前壁２５を翼部７の正面に隙間Ｇを介して重合され、更に、前壁２５から翼部７の正面側に突出する挟持壁２６を延設している。左右両側の翼部７、７を抱持した状態で、一対の抱持具１９、１９の挟持壁２６、２６は、空間Ｓで示すように相互に離間して配置せしめられる。抱持具１９の取付けに際して、上述のように、外壁パネル２は、柱部材１の溝部４の内部で遊動自在であるから、セットボルト５を弛めることにより形成される遊動空間を介して抱持具１９の背壁２４を外壁パネル２と翼部７の間に挿入することが可能であり、該背壁２４を翼部７の背面に当接した状態で、セットボルト５により外壁パネル２を背壁２４に向けて押圧すれば良い。
【００２５】
翼部７を抱持した状態で、抱持具１９は、押圧手段２１により固着される。押圧固着手段２１は、前壁２５を貫通して螺入され、先端を翼部７の正面に押圧せしめられる押しボルト２７を構成している。即ち、押しボルト２７を螺入し、翼部７の正面に押圧すると、背壁２４が引き寄せられて翼部７の背面に圧接せしめられ、これにより抱持具１９を翼部７に固着する。図例の場合、押しボルト２７を螺入するためのネジ孔２８を前壁２５に穿設しているが、該ネジ孔に代えて、前壁２５にナットを固設しても良い。
【００２６】
このように一対の抱持具１９、１９を翼部７、７に固着した状態から、相互に離間せしめられた一対の挟持壁２６、２６をクランプ固着手段２２により挟着する。図４（Ａ）に示すように、クランプ固着手段２２は、挟持壁２６、２６の挿通孔２９、２９に挿通せしめられるボルト３０とナット３１を構成しており、締着することにより、図４（Ｂ）に示すように、空間Ｓを狭めるように挟持壁２６、２６を挟持する。尚、図例では独立したナット３１を示しているが、該ナット側に位置する挟持壁２６の挿通孔２９に雌ネジを形成することによりナット３１を構成しても良い。
【００２７】
図４（Ｂ）に矢印で示すように、クランプ固着手段２２により一対の挟持壁２６、２６を挟着すると、それぞれの抱持具１９、１９の前壁２５には、翼部７の正面に向かう方向のモーメントが生じる。従って、押しボルト２７の先端は、翼部７の正面に食い込むように強く圧接され、極度に強固な固着状態を生成する。
【００２８】
ブラケット部材２０は、金属板を折曲することにより、被着部３２と、該被着部３２から延設された取付座部３３を備えており、被着部３２を抱持具１９、１９の挟持壁２６に取付固着せしめ、取付座部３３にパネル１０の取付手段１５を取付固着するように構成されている。
【００２９】
図４に示す実施形態において、ブラケット部材２０は、挟持壁２６、２６の挿通孔２９と同軸状の挿通孔３４を被着部３２に開設しており、該被着壁３２を挟持壁２６、２６の間に介挿せしめられている。即ち、クランプ固着手段２２のボルト３０を挿通孔２９、２９及び３４に挿通せしめた状態で、ナット３１により締着したとき、図４（Ｂ）に示すように、挟持壁２６、２６が被着壁３２を挟んで挟着され、これにより被着壁３２を挟持壁２６、２６に一体的に取付固着するように構成している。
【００３０】
このようにしてブラケット部材２０を取付固着した後、パネル１０の取付手段１５がボルト等の固着手段３４により、取付座３３に取付固着される。尚、図例の場合、取付座３３にネジ孔３５を設けているが、別途ナットを使用しても良く、或いは、ボルト以外の手段により固着手段３４を構成しても良い。
【００３１】
（別の実施形態）
図５は、ブラケット部材２０を抱持具１９、１９に取付ける技術的構成手段の別の実施形態を示している。この実施形態において、一方の抱持具１９は、挟持壁２６に舌片３６を延設しており、ブラケット部材２０の被着壁３２を該舌片３６に対してボルト・ナット等から成る固着手段３７により取付固着するように構成している。その他の構成及び作用は、図４に示した実施形態と同様である。
【００３２】
従って、図５に示す実施形態によれば、一対の挟持壁２６、２６をクランプ固着手段２２により挟着せしめ、このような作業を終えた後に、ブラケット部材２０を前記舌片３６に取付けることができる。
【図面の簡単な説明】
【図１】本発明の取付金具を使用して多数のパネルを列設することにより構築したツル科植物育成用装置の実施形態を示す斜視図である。
【図２】パネルと、取付金具と、柱部材のそれぞれの実施形態を分解した状態で示す斜視図である。
【図３】柱部材に取付金具を取付固着した状態で、パネルを取付ける前の状態を示す斜視図である。
【図４】取付金具の１実施形態を示しており、（Ａ）は挟持壁を挟着する前の状態を示す横断面図、（Ｂ）は挟持壁を挟着した後の状態を示す横断面図である。
【図５】取付金具の別の実施形態を示しており、（Ａ）は挟持壁を挟着する前の状態を示す横断面図、（Ｂ）は挟持壁を挟着した後の状態を示す横断面図である。
【符号の説明】
１    柱部材
２    外壁パネル
３    コア部
４    溝部
７    翼部
８    断面Ｔ形部
９    取付金具
１０    ツル科植物育成用パネル
１１    育成用壁面
１９    抱持具
２０    ブラケット部材
２１    押圧固着手段
２２    クランプ固着手段
２３    溝形部
２４    背壁
２５    前壁
２６    挟持壁
２７    押しボルト
３２    被着部
３３    取付座部
３６    舌片
【図１】
2005040027.tif 000003
【図２】
2005040027.tif 000004
【図３】
2005040027.tif 000005
【図４】
2005040027.tif 000006
【図５】
2005040027.tif 000007